(57)【特許請求の範囲】
【請求項１】
表紙体に着脱可能に保持され、積層状態をなして冊子体を構成し得るものであって、前記表紙体に保持される側の外縁部に可動部を設け、この可動部は見開いた紙葉類の中心線上を綴じ込んでいる綴じ片に支持させた状態で前記外縁部に対して接離可能であるとともに、この可動部において前記表紙体に磁力を利用して線接触状態で着脱可能としたことを特徴とする冊子構成体。
【請求項２】
紙葉類を綴じ片によって綴じ込んだ薄冊子状をなし、その綴じ片の外部に露出する部位に可動部を形成している請求項１記載の冊子構成体。
【請求項３】
紙葉類を複数の綴じ片によって綴じ込んだ薄冊子状をなし、それらの綴じ片の外部に露出する部位間に亘って可動部を架設している請求項１記載の冊子構成体。
【請求項４】
可動部が弾性変形可能に設けられている請求項１〜３記載の冊子構成体。
【請求項５】
可動部が巻きバネ状をなす請求項４記載の冊子構成体。
【請求項６】
可動部が遊動可能に設けられている請求項１〜３記載の冊子構成体。
【請求項７】
可動部が、前記綴じ片に形成したクランク状の折り曲げ部のうち前記外縁部に平行な軸部に設けた筒状部である請求項６記載の冊子構成体。
【請求項８】
請求項１〜７記載の冊子構成体を表紙体の背表紙内側に保持してなることを特徴とする冊子体。
【請求項９】
前記背表紙に、幅方向に分割して多数の細長短冊片から構成した磁性体を設けている請求項８記載の冊子体。
【発明の詳細な説明】
【技術分野】
【０００１】
本発明は、表紙体への加除操作が容易で、綴じ込み用の穿孔等も要さず、脱落も有効に防止できるようにした冊子構成体及び冊子体に関するものである。
【背景技術】
【０００２】
従来より、紙葉類を綴じ込んで利用するものとしてリング等の綴じ具を使ったファイルが知られている。これらのものは、大量の紙葉類を安定して綴じ込める利点を有するものの、紙葉類の加除操作の度にリング等の綴じ具を逐一開閉しなければならず、見開いて閲覧、筆記等をするにもリングが邪魔になって不便であり、紙葉類に孔を穿孔しなければならないため文字等の一部が欠損する事態のおそれもある。
【０００３】
このような不都合を解消するために、例えば特許文献１等に示されるように、表紙体の背表紙内側にマグネット板を配置する一方、マグネットに対向する側の書類の縁部にクリップ式止め金を取り付け、この止め金をマグネット板に着脱可能に保持させるようにしたファイルが開発されている。
【特許文献１】実開平５−６３８８３号公報
【発明の開示】
【発明が解決しようとする課題】
【０００４】
ところが、一般にファイルを見開いて閲覧等をする際、書類に、ファイルの背表紙側に位置する縁部を背表紙から離反させようとする力が働く。これが製本された本やカタログ等であれば、見開いた際に背表紙が背幅方向に撓りながらこれに追従変形するため書類の離脱が生じるようなことはないが、上記特許文献のものはマグネット板を配置していて変形できない上に、止め金は書類の縁部に不利一体的に付帯しているため、止め金がマグネットから少しでも離れるとマグネットとの接触面積が殆どなくなって、即座に書類の脱落に至るという問題がある。
【０００５】
本発明は、このような課題に着目してなされたものであって、ファイルに限らず、磁力を用いて冊子構成体を着脱するようにした冊子体全般に亘り、その着脱の利便性を損なうことなく、使用状態の改善を図ることを目的としている。
【課題を解決するための手段】
【０００６】
本発明は、かかる目的を達成するために、次のような手段を講じたものである。
すなわち、本発明の冊子構成体は、表紙体に着脱可能に保持され、積層状態をなして冊子体を構成し得るものであって、前記表紙体に保持される側の外縁部に可動部を設け、この可動部は見開いた紙葉類の中心線上を綴じ込んでいる綴じ片に支持させた状態で前記外縁部に対して接離可能であるとともに、この可動部において前記表紙体に磁力を利用して線接触状態で着脱可能としたことを特徴とする。
【０００７】
このようにすれば、冊子構成体の外縁部に表紙体から離反しようとする力が働いた場合に、可動部が作動して表紙体側に残り、表紙体との間にある程度有効な接触面積を保って冊子構成体をつなぎ留めるので、冊子構成体が表紙体から簡単に脱落することを有効に防止することができる。しかも、見開いて筆記等をする場合には可動部は必要に応じて外縁部に密着することができ、或いは邪魔にならない位置に退避動作も行い得るので、良好な使用状態を確保することが可能となる。
【０００８】
このような冊子構成体が例えばアルバムの台紙等であれば、その外縁部に可動部となる部品を取り付けることとなるが、冊子構成体が紙葉類を綴じ片によって綴じ込んだ薄冊子状をなすものであれば、その綴じ片の外部に露出する部位を利用して可動部を形成することが有効となる。
【０００９】
或いは、紙葉類を複数の綴じ片によって綴じ込んだ薄冊子状をなす場合には、それらの綴じ片の外部に露出する部位間に亘って可動部を架設する態様も採り得る。
【００１０】
可動部の具体的な実施の態様としては、弾性変形可能なものや、遊動可能なもの等が挙げられる。弾性変形可能なものとしては、巻きバネ状をなすものが挙げられ、遊動可能なものとしては、綴じ片に形成したクランク状の折り曲げ部のうち外縁部に平行な軸部に設けた筒状部であるものが挙げられる。
【００１１】
本発明は、このような構成であるから、冊子構成体を表紙体の背表紙内側に保持して冊子体として用いる際に、加除操作等の利便性を損なうことなく、積層時にも冊子構成体の安易な脱落を防止して、使い勝手を有効に向上させることが可能となる。特に背表紙に、幅方向に分割して多数の細長短冊片から構成した磁性体を設けていることが好適である。
【発明の効果】
【００１２】
本発明は、以上説明したように、積層状態で表紙体に付帯させても、閲覧時や筆記時等に簡単に表紙体から脱落することがないようにした使い勝手に優れた冊子構成体を提供することができる。
【発明を実施するための最良の形態】
【００１３】
以下、本発明の一実施形態を、図面を参照して説明する。
【００１４】
図１及び図２に示す冊子体１は、表紙体１Ａの背表紙内側１３ｍに薄冊子状の冊子構成体２を磁力により１又は複数個吸着させて取り付けてファイルとして利用できるようにしたものである。
【００１５】
表紙体１Ａは、表表紙１１及び裏表紙１２の間を背表紙１３を介して連設したもので、その保形性を確保するために、図３に示す外張紙１ｖと内張紙１ｗの間における表表紙１１、裏表紙１２および背表紙１３に対応する部位にボール紙等の素材からなる芯材１１ａ、１２ａ、１３ａを内設している。背表紙１３の芯材１３ａの内側には鉄板１４が配置されて、この鉄板１４にはネオジウム等の素材からなるマグネット片１５が背表紙１３の長手方向に沿った両端部近傍に付帯させてあり、かつマグネット片１５を設けていない部位に、マグネット片１５と略同じ肉厚を有するボール紙等の素材からなるスペーサ１６を配置している。これらの芯材１１ａ、１２ａ、１３ａ、鉄板１４及びマグネット片１５は、内張紙１ｗを貼着することによって全て隠蔽される。鉄板１４を使用しているのは、マグネット片１５の取付の便を確保し、同時に磁力が不用意に背面側に及ばないようにするためである。
【００１６】
一方、冊子構成体２は、図４に示すように、紙葉類２Ａを綴じ片２１によって綴じ込んだ薄冊子状をなすもので、その綴じ片２１の位置はマグネット片１５の位置に対応させてある。
【００１７】
綴じ片２１は、ステープラと同様の針状の脚部２１ａを有し、この脚部２１ａを外側から内側に向かって紙葉類２Ａに貫通させた後に折り曲げて紙葉類２Ａの中心線ｍ上を綴じ込んでいるもので、この中心線ｍで紙葉類２Ａを谷折りすることによって冊子構成体２を構成している。これにより、図２に示す冊子構成体２の外縁部２ｘに沿って外部に前記綴じ片２１の中間部が露出することとなるが、本実施形態ではこの中間部を弾性変形可能な巻きバネ状に成形して本発明の可動部２１ｂとしている。
【００１８】
このような構成からなる冊子体は、図２に示すように表紙体１を開いた状態で背表紙内側１３ｍに冊子構成体２の外縁部２ｘを近づけると、図５（ａ）に示すように綴じ片２１がマグネット片１５に内張紙１ｗを介し吸着されて、冊子構成体２は表紙体１Ａに着脱可能に保持される。冊子体１は、このような冊子構成体２を背幅方向に複数積層してファイル等として利用可能である。
【００１９】
そして、可動部２１ｂはその巻きバネ形状を伸縮させながら外縁部２ｘに対して接離し得るので、表紙体１Ａを見開きにして複数の冊子構成体２を左右に振り分け、或いは特定の冊子構成体２を更に見開いて筆記等を行う際、冊子構成体２の外縁部２ｘに図５（ｂ）に矢印で示すような表紙体１Ａから離反しようとする力が働いた場合に、可動部２１ｂの巻きバネ部分の少なくとも一部が変形して表紙体１Ａ側に残り、表紙体１Ａとの間にある程度有効な接触面積を保って冊子構成体２をつなぎ留めることになる。このため、冊子構成体２が表紙体１Ａから簡単に脱落することを有効に防止することができる。しかも、見開いて筆記等をする場合等には図５（ｃ）に示すように可動部２１ｂの巻きバネ部分は直線状をなして外縁部２ｘに緊密に密着することができ、或いは図５（ｃ）に示すように可動部２１ｂの揺動や変形を伴いながら表表紙１１側或いは裏表紙１２側にある程度回り込んで、邪魔にならない位置に退避することもできるので、閲覧や筆記時にも良好な使用状態を確保して、使い勝手を有効に向上させることができる。
【００２０】
特に、その綴じ片２１それ自体の一部を可動部２１ｂとしているため、可動部のための別段の部品を不要にして、部品点数の増加を有効に回避することができる。
【００２１】
また、背表紙１３の丈方向に沿って磁性体であるマグネット片１５を間欠的に配置し、マグネット片１５を設けていない部位に当該マグネット片１５と略同等の肉厚を有するスペーサ１６を配置しているので、背表紙内側１３ｍに凹凸を生じさせることがなく、冊子構成体２と背表紙１Ａとの接触面積を有効に確保して取り付け状態の安定化を図ることができる。
【００２２】
なお、上記実施形態では冊子構成体２が紙葉類を複数の綴じ片２１により綴じ込んで構成されていたが、図６に示すように中央を単一の綴じ片１２１により綴じ込んで構成されたものであってもよい。この場合には、表紙体１Ａの背表紙１３側にも対応一箇所にマグネット片１５を配置するようにすればよい。また、上記実施形態の可動部２１は、外縁部２ｘを貫通して外部に露出した部位より直ちに巻きバネ部分が形成してあるが、図６に示すように脚部１２１ａを屈曲させた後、ある程度外縁部２ｘに沿って直線的に脚部１２１ａを延出させた後に可動部１２１ｂとなる巻きバネ部分を形成してもよい。
【００２３】
さらに、図７に示すように遊動可能な可動部２２１としても同様の効果が奏される。この可動部２２１は、ステープラと同様の針状の脚部２２１ａに連続させて、外部に露出した部位にクランク状の折り曲げ部２２１ｃを形成し、その折り曲げ部２２１ｃのうち外縁部２ｘに平行な軸部に筒状部を遊動可能に取り付けて可動部２２１ｂとしたものである。
【００２４】
このようにしても、冊子構成体２の外縁部２ｘに表紙体１Ａから離反しようとする力が働いた場合に、可動部２２１ｂが外縁部２ｘから離れる側に遊動して表紙体１Ａ側に残り、表紙体１Ａとの間にある程度有効な接触面積を保って冊子構成体２をつなぎ留めるので、積層状態にあっても冊子構成体２が表紙体１Ａから簡単に脱落することを有効に防止することができる。しかも、見開いて筆記等をする場合等には必要に応じて外縁部２ｘに緊密に密着する側に移動することができ、或いは可動部２２１ｂの揺動を伴いながら表表紙１１側或いは裏表紙１２側にある程度回り込んで、邪魔にならない位置に退避することもできるので、閲覧や筆記時にも良好な使用状態を確保して、使い勝手を向上させることができる。
【００２５】
さらにまた、図８及び図９に示すように、ステープラ状の綴じ片３２１はそのまま利用し、隣接する綴じ片３２１の外部に露出する部位間に亘って可動部となる巻きバネ状の可動部品３２１ｂを架設するようにしてもよい。その際、巻きバネの端部にステープラの脚部に係止可能なフック状若しくはループ状の係止部３２１ｂｘを設けておくことが好適である。これによれば、紙葉類に対する綴じ片３２１の綴じ込みを通常工程で行なうことができ、可動部３２１ｂの長さも、綴じ込み片３２１の綴じ込み位置さえ変更すればよいため自由に設定することが可能となる。
【００２６】
何れにせよ、本発明は以上のような構成及び効果により、冊子構成体としてノート、ファイル、アルバム、スケジュール帳、アドレス帳、地図、ガイドブック、テキストブック、マニュアルなどの種々の物品に適用することができ、冊子体としてステーショナリーから書籍、出版物など幅広い物品を構成することが可能となる。
【００２７】
なお、各部の具体的な構成は、上述した実施形態のみに限定されるものではなく、本発明の趣旨を逸脱しない範囲で種々変形が可能である。
たとえば、冊子構成体のうち、アルバムの台紙のような単片のものであって綴じ片を有しない場合には、可動部を適宜の手段によって当該冊子構成体の縁部に取り付ければよい。
【００２８】
また、図１０に示すように、磁性体であるマグネット片を幅方向に分割して多数の細長短冊片１１５から構成してもよい。これに伴い、冊子体の背表紙１３にも必要に応じて一部に薄肉部を設けるなどして多数の細長短冊状の可撓部１３ｘを背幅方向に配列しておくとよい。このようにすると、背表紙１３を背幅方向に湾曲させることができるので、見開いた際の冊子構成体２の脱落をより有効に防止できるようになる。
【００２９】
さらに、表紙体と冊子体の着脱部分は、磁力に限らず、例えば適宜の凹凸係合の態様を妨げないものであり、可動体が変形、伸縮、遊動できる構成であればよい。
【図面の簡単な説明】
【００３０】
【図１】本発明の一実施形態に係る冊子体の斜視図。
【図２】同実施形態の表紙体を展開した状態を示す図。
【図３】同表紙体の分解斜視図。
【図４】同実施形態の冊子構成体の構成説明図。
【図５】同実施形態の作用説明図。
【図６】同実施形態の変形例を示す図。
【図７】本発明の他の実施形態を示す図。
【図８】本発明の他の実施形態を示す図。
【図９】本発明の他の実施形態を示す図。
【図１０】本発明の他の実施形態を示す図。
【符号の説明】
【００３１】
１…冊子体
１Ａ…表紙体
２…冊子構成体
２ｘ…外縁部
１３ａ…背表紙内側
２１，１２１，２２１…綴じ片
２１ｂ、１２１ｂ、２２１ｂ、３２１ｂ…可動部
【図１】
0004674669.tif 000002
【図２】
0004674669.tif 000003
【図３】
0004674669.tif 000004
【図４】
0004674669.tif 000005
【図５】
0004674669.tif 000006
【図６】
0004674669.tif 000007
【図７】
0004674669.tif 000008
【図８】
0004674669.tif 000009
【図９】
0004674669.tif 000010
【図１０】
0004674669.tif 000011